(57)【要約】【課題】サンドブラスト処理が被処理材の全面に効率よくなされるようにしたサンドブラスト装置を提供する。【解決手段】タンブラー４に適宜数の被処理材及び鋼球を投入し、タンブラー４を回転させる。そして、サンドブラストガンからタンブラー４の開口部５ａ１に向けてサンドを噴射する。噴射されたサンドは、被処理材同士の密着状態が鋼球によって阻止され、且つ、被処理材の攪拌がブレード１２によって促進されるので、被処理材の全面に衝突するようになり、サンドブラスト処理が確実に、且つ、効率よくなされる。そして、タンブラー４内に噴射されたサンドは、被処理材に衝突するなどしてタンブラー４の排出孔１１から排出される。このとき、タンブラー４の本体５の底面５ｃ１から排出するサンドについては、本体５が回転駆動部６と離隔してサンドの排出が阻止されないようになっているために、サンドの排出性が良好になる。【選択図】  図３
2004209604.tif 000002
【特許請求の範囲】
【請求項１】
全面を鋼板壁で形成されるブラスト室と、
このブラスト室内に着脱可能に設けられたサンドブラストガンと、
その開口部が前記サンドブラストガンに向けて配置され、その側面及び底面にサンドを排出する排出孔が多数設けられ、且つ、前記開口部を通る軸回りに回転する容器と、
を備えたことを特徴とするサンドブラスト装置。
【請求項２】
被処理材とともに前記容器に投入される鋼球を備えることを特徴とする請求項１に記載のサンドブラスト装置。
【請求項３】
前記容器内の側面に突起を設けることを特徴とする請求項１または２に記載のサンドブラスト装置。
【請求項４】
前記容器の本体を、当該容器の回転駆動部から離隔させたことを特徴とする請求項１〜３のいずれかに記載のサンドブラスト装置。
【発明の詳細な説明】
【０００１】
【発明が属する技術分野】
本発明は、表面研磨作業に供されるサンドブラスト装置に関する。
【０００２】
【従来の技術】
被処理材の表面研磨作業に供されるサンドブラスト装置は、従来から種々ある。
そのうち、図４に示す装置１００は、回転自在に設けられた回転筒１０１に支軸１０２が立設され、この支軸１０２に対向する態様で上方に配された支持具１０３が昇降及び回転自在に設けられるもので、被処理材１０４は、支軸１０２に載置されるとともに、支持具１０３に支持されて回転し、サンドブラストガン１０５から噴射される研磨材によってサンドブラスト処理がなされるようにしている（例えば、特許文献１参照）。
また、図５に示す装置２００は、キャビネット２０１の作業台２０２に被加工物を載せ、この被加工物に対しブラストガン２０３から研磨材を噴射してブラスト処理がなされるようにしている（例えば、特許文献２参照）。
【０００３】
【特許文献１】
特開平８−１９７４２８号公報（第２頁、図１及び２）
【特許文献２】
特開平７−２５１３７７号公報（第５頁、図１）
【０００４】
【発明が解決しようとする課題】
しかしながら、上述した特許文献１に開示されたサンドブラスト装置は、被処理材を当該装置の所定位置に一つ一つ取り付け、サンドブラスト処理が当該被処理材の特定の部位になされるようにする場合に用いられる装置である。
また、特許文献２に開示されたサンドブラスト装置は、被処理材を一つ一つ取り付けることを要しないが、サンドブラスト処理が当該被処理材の特定の部位にしかなされず、被処理材の全面にサンドブラスト処理を施すためには、被処理材を、例えば反転するなどして全面にサンドブラスト処理がなされるようにしてやる必要がある。
【０００５】
本発明の目的は、サンドブラスト処理が被処理材の全面に効率よくなされるようにしたサンドブラスト装置を提供することにある。
【０００６】
【課題を解決するための手段】
上記課題を解決するために、本発明の請求項１に係るサンドブラスト装置は、全面を鋼板壁で形成されるブラスト室と、このブラスト室内に着脱可能に設けられたサンドブラストガンと、その開口部がサンドブラストガンに向けて配置され、その側面及び底面にサンドを排出する排出孔が多数設けられ、且つ、前記開口部を通る軸回りに回転する容器とを備えるもので、回転する容器内に被処理材を投入し、当該容器内にサンドブラストガンからのサンドが噴射される構成を採っているので、サンドブラスト処理が被処理材の全面に効率よくなされるようになる。
【０００７】
また、本発明の請求項２に係るサンドブラスト装置は、前記容器には、鋼球を被処理材とともに投入するようにしたもので、これにより、被処理材同士が密着せずによく回転するようになり、サンドブラスト処理が被処理材の全面に確実に効率よくなされるようになる。
【０００８】
また、本発明の請求項３に係るサンドブラスト装置は、前記容器内の側面に、適宜な数の突起を設けるようにしたもので、容器内の被処理材に対する攪拌を促進し、サンドブラスト処理が被処理材の全面に効率よくなされる。
ところで、この突起の傾斜角を適宜に選定すると、サンドブラスト処理後に被処理材を容器からスムーズに排出させることができる。
【０００９】
また、本発明の請求項４に係るサンドブラスト装置は、前記容器の本体を、当該容器の回転駆動部から離隔させ、サンドの排出が阻止されないような構造としたもので、これにより、本体からのサンドの排出性をさらに良好にできる。
【００１０】
【発明の実施の形態】
本発明の実施の形態に係るサンドブラスト装置を図１〜３を参照して説明する。
本サンドブラスト装置１は、図１に示すように、全面が厚めの鋼板で形成され外観が略箱形形状をなす装置であり、この鋼板壁内には、当該鋼板壁で形成されるブラスト室２と、このブラスト室２内に着脱可能に設けられた、サンドを噴射するサンドブラストガン３と、その開口部５ａ１（図３参照）がサンドブラストガン３に向けて配置されたタンブラー（容器）４とが備えられている。そして、本装置１の前面（作業者の正面に位置する面）側には、その上方部に傾斜面が形成され、かかる傾斜面に矩形状をなす強化ガラス製の透視窓２０が配設され、また、上記傾斜面に連接する下方部の上方位置には、一対の手袋挿入口７が設けられ、この手袋挿入口７には、強化ゴム製のブラスト用手袋８がブラスト室２内に突出する態様で取り付けられている。更に、本装置１の上面には、逆転スイッチ９ａ、スピードコントローラスイッチ９ｂ、電源スイッチ９ｃを有するコントローラ９が備えられている。
【００１１】
上記タンブラー４は、本実施の形態では、本体５と回転駆動部６とから構成され、そのうちの本体５が、図２，３に示すような、切頭六角錐部材５ａ，５ｂ，５ｃを上下方向に積層して提灯状の形態をなす中空部材で構成され、最上段の部材５ａに設けられた開口部５ａ１が、上述のように、サンドブラストガン３に向けてブラスト室２内の所定位置に、且つ、開口部５ａ１を通る下記回転駆動部６の回転軸（図示せず）の軸回りに回転するように配置される。そして、このタンブラー５の部材５ａ，５ｂ，５ｃの側面及び部材５ｃの底面５ｃ１には、サンドを排出する排出孔１１が多数設けられるとともに、本実施の形態では、部材５ａ，５ｂの内壁に、当該部材５ａ，５ｂに跨る態様で、且つ、傾斜角をもたせて複数のブレード（突起）１２が突設されている。
ところで、タンブラー４の本体５内には、サンドブラスト処理の対象となる被処理材（図示せず）はもちろんのこと、本実施の形態では外径が１０ｍｍの鋼球１３をも投入するようにして被処理材を回転させ被処理材同士の密着を阻止し、サンドブラスト処理が被処理材の全面に確実に効率よくなされるようにしている。
【００１２】
また、上記タンブラー４の回転駆動部６は、複数の短柱状のステム１４を介して上記部材５ｃの底面５ｃ１の周縁に取り付けられており、これらステム１４の一方端が上述のように底面５ｃ１の周縁に、また、その他方端が当該回転駆動部６のカプラー１５の上面に溶着されている。このように本体５と回転駆動部６間とは離隔する構造となっており、したがって、本体５の底面５ｃ１からのサンドの排出性を良好にできる。そして、このカプラー１５の内壁には、ネジ穴１６が刻設され、このネジ穴１６にタンブラー４の回転軸が螺合するようになっている。
ところで、カプラー１５のネジ穴１６には、適宜数のサンド排出溝１６ａがカプラー１５の上面から下面に向かって設けられており、これにより、サンドの排出性を良好にして回転駆動部６におけるサンドの噛み込みを防止している。
【００１３】
このようなサンドブラスト装置１の動作を説明する。
本サンドブラスト装置１では、タンブラー４に適宜数の被処理材及び鋼球１３を投入し、タンブラー４を回転させる。そして、サンドブラストガン３を固定した状態でタンブラー４の開口部５ａ１からサンドを吹き付ける。予め被処理材の適切な処理時間を調査しておけば、タイマーで時間を計測して警報を鳴らす、あるいは、自動停止させるなどしておけば作業者はサンドブラスト研磨作業に拘束されないで、例えば準備作業を行うなどして、作業の効率をあげることができる。
噴射されたサンドは、被処理材同士の密着状態が鋼球１３によって阻止され、且つ、被処理材の攪拌がブレード１２によって促進されるので、被処理材の全面に衝突するようになり、サンドブラスト処理が確実に、且つ、効率よくなされる。そして、タンブラー４内に噴射されたサンドは、被処理材に衝突した後タンブラー４の排出孔１１から排出される。このとき、タンブラー４の本体５の底面５ｃ１から排出するサンドについては、本体５が回転駆動部６と離隔していてサンドの排出が阻止されない構造となっているために、サンドの排出性は良好になる。また、本装置１では、ブレード１２が傾斜角をもって突設されているので、コントローラ９の逆転スイッチ９ａをＯＮにしてタンブラー４を逆回転すると、タンブラー４内の被処理材をスムーズに排出させることができる。
ところで、作業者は、上述したサンドブラスト処理を、手袋挿入口７からブラスト用手袋８に手を入れて、ブラスト室２からサンドブラストガン３を取り外してから当該サンドブラストガン３を操作し、サンドブラストガン３からタンブラー４の開口部５ａ１に向けてサンドを噴射して行うこともできる。また、コントローラ９のスピードコントローラスイッチ９ｂを調整してタンブラー４の回転速度を変えることも可能である。
【００１４】
【発明の効果】
本発明のサンドブラスト装置によれば、サンドブラスト処理が被処理材の全面に効率よく行え、加えて、鋼球を被処理材とともに投入すると、サンドブラスト処理が被処理材の全面に確実になされ、更に、容器内の側面に適宜な数の突起を設けると、サンドブラスト処理がより促進される。
【図面の簡単な説明】
【図１】本発明の実施の形態に係るサンドブラスト装置の斜視構成図である。
【図２】図１のタンブラーの平面図である。
【図３】図１のタンブラーの正面図である。
【図４】従来のサンドブラスト装置の構成図である。
【図５】従来のサンドブラスト装置の構成図である。
【符号の説明】
１                    サンドブラスト装置
２                    ブラスト室
３                    サンドブラストガン
４                    タンブラー（容器）
５                    本体
５ａ１                開口部
５ｃ１                底面
６                    回転駆動部
１１                  排出孔
１２                  ブレード（突起）
１３                  鋼球
【図１】
2004209604.tif 000003
【図２】
2004209604.tif 000004
【図３】
2004209604.tif 000005
【図４】
2004209604.tif 000006
【図５】
2004209604.tif 000007